(57)【要約】【課題】暑い夏期に素足にフットカバーを着用してパンプス等の靴を履いた場合に蒸れて履き心地が好ましくない。【解決手段】このフットカバー１００は、爪先と踵を含む足底とを被覆するとともに足甲および足首を露出するフットカバーであって、爪先部１０２Ａ、足底部１０４、側辺部１０２Ｂおよび踵部１０６で形成され、足底部１０４に対して上下反対側に足を出し入れするための開口部が設けられ、開口部の上縁の全周に亘ってフットカバー１００の内側（足Ｆが接する側：肌側）に伸縮性細幅生地１１４が設けられ、足底部１０４を形成する生地の全部（または一部であっても構わない）が網目状の生地（メッシュ生地）で構成されている。【選択図】図１
2018024954.tif 000002
【特許請求の範囲】
【請求項１】
足甲および足底を被覆するとともに足首を露出するフットカバーであって、足底部と踵部と足甲部とで形成され、
前記足底部に対して上下反対側に足を出し入れするための開口部を設け、
前記開口部の上縁に伸縮性細幅生地を設け、
前記足底部を形成する生地の少なくとも一部が網目状であることを特徴とするフットカバー。
【発明の詳細な説明】
【技術分野】
【０００１】
本発明は、着用するとパンプス（履き口である甲部分が大きく開いている主として婦人用の靴）等の靴の内側に隠れて見えなくなるフットカバーに関し、特に、履きやすく歩行等の動作によっても脱げたり位置ずれすることが少なく暑い夏期であっても履き心地が好ましいフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
ここで、特許文献１に開示されたフットカバーの摩擦付与体だけでは十分でない場合があり、この場合には、歩行時、パンプスの脱ぎ履き時にフットカバーが脱げてしまったり履き位置がずれてしまったりする。特許文献２に開示された平ゴムでは、開口部の周縁の全体に亘って平ゴムを設けているため（平ゴムの伸縮性にもよるが）、フットカバーを履くときに開口部が十分に開かないで履きにくい場合があることに加えて、特許文献１に開示されたフットカバーと同じく、パンプスの脱ぎ履き時にフットカバーが脱げてしまったり履き位置がずれてしまったりする問題もある。
【０００７】
さらに、暑い（または蒸し暑い）夏期に、従来のフットカバーを着用してパンプス等の靴を履いた場合、足底部が蒸れて、履き心地が好ましくない場合がある。これでは、パンプスと足裏とが直接接していると足に発生した汗により靴の中が蒸れてしまい不快感があることを、フットカバーを着用してもそもそも解決できていない。
本発明は、従来技術の上述の問題点に鑑みて開発されたものであり、その目的とするところは、歩行時やパンプスの脱ぎ履き時にフットカバーが脱げてしまったり履き位置がず
れてしまったりすることがなく、暑い夏期においても履き心地が良好なフットカバーを提供することを目的とする。
【課題を解決するための手段】
【０００８】
上記目的を達成するため、本発明に係るフットカバーは以下の技術的手段を講じている。
すなわち、本発明に係るフットカバーは、足甲および足底を被覆するとともに足首を露出するフットカバーであって、足底部と踵部と足甲部とで形成され、前記足底部に対して上下反対側に足を出し入れするための開口部を設け、前記開口部の上縁に伸縮性細幅生地が設け、前記開口部の上縁に伸縮性細幅生地を設け、前記足底部を形成する生地の少なくとも一部が網目状であることを特徴とする。
【０００９】
好ましくは、前記足底部を形成する生地の全部が網目状であるように構成することができる。なお、網目状（の生地）とは、多数の細かい穴を備えた生地であって、メッシュ生地等である。
【発明の効果】
【００１０】
本発明のフットカバーによれば、歩行時やパンプスの脱ぎ履き時にフットカバーが脱げてしまったり履き位置がずれてしまったりすることがなく、暑い夏期においても履き心地が良好なフットカバーを提供することができる。
【図面の簡単な説明】
【００１１】
【図１】本発明の実施の形態に係るフットカバーについての（Ａ）全体斜視図、（Ｂ）踵が上がった状態の背面側から見た斜視図である。
【発明を実施するための形態】
【００１２】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを形成する生地の種類、生地の型紙およびその生地の接合方法がどのようなものであっても基本的には構わない。そのため、以下に示すフットカバーの構造自体は単なる例示でしかない。
【００１３】
なお、このフットカバーを形成する生地（足底部１０４を形成する生地が網目状（メッシュ状）である点を除く）は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１４】
さらに、本実施の形態に係るフットカバーは、爪先と踵を含む足底とを被覆するとともに足甲および足首を露出するフットカバーであって、足底部、側辺部、踵部および爪先を覆う爪先部で形成される。また、限定されるものではないが、以下に示すフットカバーは左右共用であって、左右共用であるために左右を履き間違いすることがない点で好ましい。なお、フットカバーが左右共用でない場合には、左足用と右足用とは左右対称の形状を備える。
【００１５】
そして、特徴的であるのは、足底部を形成する生地の少なくとも一部（ここでは全部）が網目状（メッシュ状）である。なお、本実施の形態に係るフットカバーは複数の生地（爪先部１０２Ａおよび側辺部１０２Ｂを形成する生地（側部１０２を形成する生地）、足底部１０４を形成する生地ならびに踵部１０６を形成する生地の３つの生地）により構成されているが、これらの生地どうしの接合については限定されるものではない。たとえば、縫合により生地どうしを接合するものであっても構わないし、帯状部材の一面に接着材が塗布された接着テープを用いて加熱することにより接着材が溶融して生地を熱接着して生地どうしを接合するものであっても構わない。ここで、この接合には、熱圧着によるも
の、熱溶着によるもの、熱融着によるもの等を含む。
【００１６】
図１（Ａ）に本発明の実施の形態に係るフットカバー１００の全体斜視図を図１（Ｂ）に踵が上がった状態のフットカバー１００を背面側から見た斜視図を、それぞれ示す。ここで、図１（Ａ）および図１（Ｂ）は、着用者の足Ｆにフットカバー１００を着用している状態を想定している。すなわち、本発明の実施の形態に係るフットカバー１００は、トリコット等の伸縮性生地で形成されているために、このように想定して図示しない場合には縮んだ状態となり、形状を理解することが困難なため、上述のように想定している。
【００１７】
このフットカバー１００は、着用者の足Ｆの爪先と踵を含む足底とを被覆するとともに足甲および足首を露出するフットカバーである。このフットカバー１００は、着用時にパンプスから露出することのないよう履き口である開口部が大きくカットされた薄手の伸縮性生地（トリコット等の生地）で形成されている。ここで、着用時にパンプスから露出することのないとは、フットカバー１００がパンプスに隠れて、見えなくなることも、見えにくくなることも含む。
【００１８】
フットカバー１００は、爪先部１０２Ａ、足底部１０４、側辺部１０２Ｂおよび踵部１０６で形成されている。上述したように、フットカバー１００は、爪先部１０２Ａおよび側辺部１０２Ｂを形成する生地（側部１０２を形成する生地）、足底部１０４を形成する生地ならびに踵部１０６を形成する生地の３つの生地が、縫合されて接合されている。より詳しくは、爪先部１０２Ａおよび側辺部１０２Ｂを形成する生地と踵部１０６を形成する生地とが左右２ヶ所の縦方向の縫合線１１０により、爪先部１０２Ａおよび側辺部１０２Ｂを形成する生地および踵部１０６を形成する生地と足底部１０４を形成する生地とが足底外周に沿った縫合線１１２により、それぞれ縫合されている。
【００１９】
そして、足底部１０４に対して上下反対側に足を出し入れするための開口部が設けられている。この開口部の上縁の全周に亘ってフットカバー１００の内側（足Ｆが接する側：肌側）に伸縮性細幅生地１１４が設けられている。このフットカバー１００を履くときに伸縮性細幅生地１１４を伸張させると開口部が大きく開くために履きやすく、かつ、このフットカバー１００を履いた後は伸縮性細幅生地１１４を収縮して開口部が小さくなるために歩行時にフットカバー１００が脱げることがない。なお、この開口部の上縁の全周に亘ってフットカバー１００の外側（足Ｆが接する側とは逆側：靴側）に伸縮性細幅生地１１４を設けるようにしても構わない。なお、この伸縮性細幅生地１１４は、開口部の上縁の全周ではなく上縁の一部に設けるようにしても構わないし、連続的ではなく断続的に設けるようにしても構わない。いずれであっても、この伸縮性細幅生地１１４により、このフットカバー１００が履きやすく、フットカバー１００は歩行等の動作によっても脱げたり位置ずれすることが少ない。この伸縮性細幅生地１１４の一例として、ナイロン製テープを挙げることができる。
【００２０】
さらに、このフットカバー１００の踵部１０６の上縁には、フットカバー１００の内側（足Ｆが接する側：肌側）には、シリコン樹脂等の薄い透明のシートで形成された踵部滑り止め１１６を設けることも好ましい。これにより、足Ｆの踵との密着性を高めてフットカバー１００が足Ｆの踵の部分からずれることをさらに防止することができる。なお、この踵部滑り止め１１６は、本発明に係るフットカバーにおいて必須の構成ではない。
【００２１】
そして、このフットカバー１００の特徴は、図１（Ａ）および図１（Ｂ）に示すように、足底部１０４を形成する生地の全部（または一部であっても構わない）が網目状の生地で構成されている。網目状の生地とは、多数の細かい穴を備えた生地であって、メッシュ生地等（以下においてはメッシュ生地で代表させて説明する）である。なお、この網目状の生地は多数の細かい穴を備えたことを除けば、厚みおよび素材等については、他の爪先部１０２Ａおよび側辺部１０２Ｂを形成する生地および踵部１０６を形成する生地と同じく、ベア天、トリコット、パンティストッキング用の生地等の薄手で伸縮性の好ましい生地と同じである。
【００２２】
このように、このフットカバー１００においては、足底部１０４の生地をメッシュ生地としたので（特に足底部１０４の全てをメッシュ生地としたので）、（蒸し）暑い夏期にフットカバー１００を着用してパンプス等の靴を履いた場合、足底部１０４の通気性が非
常に好ましいので蒸れることなく、履き心地が好ましい。特に、ナイロン製のメッシュ生地を採用すると、肌触りの良いソフトタッチ感を実現することができる点で、特に好ましい。なお、この足底部１０４の生地に消臭加工等を施すことも好ましい。
【００２３】
さらに、足底部１０４において、足Ｆが接する側と反対側（パンプスを履いたときにパンプスの内底に接する側）には、シリコン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００２４】
なお、このフットカバー１００において、このフットカバー１００を形成する、足底部１０４以外の生地（側部１０２を形成する生地および踵部１０６を形成する生地）が同じ共生地で形成されていても構わない。すなわち、足底部１０４を形成するメッシュ生地を除いて、このフットカバー１００は、全て同じ伸縮性生地（トリコット等）で形成されていても構わない。なお、このフットカバー１００において、伸縮性細幅生地１１４は、生地に、熱プレス装置により加熱することにより伸縮性細幅生地１１４に塗布された接着材が溶融して生地と熱接着して接合されている。また、フットカバー１００において、このフットカバー１００を形成する足底部１０４以外の生地と伸縮性細幅生地１１４とが同じ生地で形成されていても構わない。
【００２５】
以上のようにして、本実施の形態に係るフットカバー１００によると、足底部１０４を形成する生地をメッシュ生地としたので、（蒸し）暑い夏期にフットカバー１００を着用してパンプス等の靴を履いた場合であっても、足底部１０４の通気性が非常に好ましいので蒸れることなく、履き心地が極めて良いものとなる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
本発明は、素足で履くフットカバーに好適であり、（蒸し）暑い夏期にフットカバーを着用してパンプス等の靴を履いた場合であっても、足底部の通気性が非常に好ましいので蒸れることなく履き心地が極めて良い点で特に好ましい。
【符号の説明】
【００２７】
１００  フットカバー
１０２  側部
１０２Ａ  爪先部
１０２Ｂ  側辺部
１０４  足底部
１０６  踵部
１１４  伸縮性細幅生地
１１６  踵部滑り止め
Ｆ  足
【図１】
2018024954.tif 000003